(57)【要約】【課題】容器体に収納された粉粒物又は粘性物に計量部を挿入した場合に把持部が埋没せず、起立状態を確実に保持可能である計量スプーンを提供する。【解決手段】計量スプーン１は、粉粒物又は粘性物を計量する、計量部１０と該計量部１０から延出された把持部２０とを備え、前記計量部１０の底部から下方に突設する突設部３０が形成されている。計量部の外面１０ａは底部に向かって次第に窄まるように形成されていることが好ましい。前記計量部の内面後端部が前記把持部２０の長手方向に対して略垂直であることが好ましい。前記計量部１０は、先端上部が薄肉に形成され、後端底部に向かって次第に厚肉に形成され、更に、該後端底部から上部後端方向に、前記把持部２０が延出形成されていることが好ましい。前記突設部３０は、前記把持部２０の長手方向に対して略垂直な平面部を備えていることが好ましい。【選択図】図１
2016099215.tif 000002
【特許請求の範囲】
【請求項１】
粉粒物又は粘性物を計量する、計量部と該計量部から延出された把持部とを備えた計量スプーンであって、
前記計量部の底部から下方に突設する突設部が形成されている計量スプーン。
【請求項２】
前記計量部の外面は底部に向かって次第に窄まるように形成されている請求項１に記載の計量スプーン。
【請求項３】
前記計量部の内面後端部が前記把持部の長手方向に対して略垂直である請求項1又は２に記載の計量スプーン。
【請求項４】
前記計量部は、先端上部が薄肉に形成され、後端底部に向かって次第に厚肉に形成され、更に、該後端底部から上部後端方向に、前記把持部が延出形成されている請求項１乃至３のうちのいずれか1項に記載の計量スプーン。
【請求項５】
前記突設部は、前記把持部の長手方向に対して略垂直な平面部を備えている請求項１乃至４のうちのいずれか１項に記載の計量スプーン。
【請求項６】
前記計量部の上端面と接続する前記把持部の上端面が、該計量部の上端面と面一となる平面を含む請求項１乃至５のうちのいずれか１項に記載の計量スプーン。
【請求項７】
前記把持部の側面後端部付近に突起が形成されている請求項１乃至６のうちのいずれか１項に記載の計量スプーン。
【請求項８】
合成樹脂により一体に形成されている請求項１乃至７のうちのいずれか１項に記載の計量スプーン。
【発明の詳細な説明】
【技術分野】
【０００１】
本発明は、計量スプーンに関する。更に詳しくは、粉粒物又は粘性物を計量するスプーンであって、容器体に収納された粉粒物又は粘性物に計量部を挿入した場合に把持部が埋没せず、起立状態を確実に保持可能である計量スプーンに関する。
【背景技術】
【０００２】
従来、砂糖、塩などの粉粒物又は、味噌などの粘性物の調味料は硬質の容器体に収納され、使用の都度、計量スプーンで量り取るのが通常である。そして、その計量スプーンは、使用の都度用意するのではなく、その容器体の中に備えておくのが便利である。
しかしながら、計量スプーンを挿入しても、粉粒物の調味料又は、粘性物の調味料内では、起立状態を保持しがたく、把持部が倒れたり、埋没して、把持部に内容物が付着してしまうことがある。内容物が付着すると、衛生面でも好ましくない。また、拭き取り、洗浄を余儀なくされてしまう。
ここで、容器体の蓋部材の裏面に、計量スプーンを着脱可能に保持するスプーン付き容器が提案されている（例えば、特許文献１参照。）。
【０００３】
特許文献１に記載のスプーン付き容器は、蓋部材の裏面から垂直に突出する係合ピンを、スプーンの把持部の係合孔に係合することにより取着されているため、簡易な構造で、粉粒物の中に埋没させることなく、スプーンを蓋部材の裏面に安定した状態で着脱可能に保持することができる。
【先行技術文献】
【特許文献】
【０００４】
【特許文献１】特開２００７−１３７５１０号公報
【発明の概要】
【発明が解決しようとする課題】
【０００５】
しかし、この特許文献１に記載のスプーン付き容器においては、蓋部材との組み合わせで、目的を達成するものであり、スプーン単独では、粉粒物に埋没するのを防ぐことができない。
本発明は、前記の課題を解決するものであり、容器体に収納された粉粒物又は粘性物に計量部を挿入した場合に把持部が埋没せず、起立状態を確実に保持可能である計量スプーンを提供することを目的とする。
【課題を解決するための手段】
【０００６】
前記課題を解決するための本発明は、以下の通りである。
１．粉粒物又は粘性物を計量する、計量部と該計量部から延出された把持部とを備えた計量スプーンであって、
前記計量部の底部から下方に突設する突設部が形成されている計量スプーン。
２．前記計量部の外面は底部に向かって次第に窄まるように形成されている１．に記載の計量スプーン。
３．前記計量部の内面後端部が前記把持部の長手方向に対して略垂直である１．又は２．に記載の計量スプーン。
４．前記計量部は、先端上部が薄肉に形成され、後端底部に向かって次第に厚肉に形成され、更に、該後端底部から上部後端方向に、前記把持部が延出形成されている１．乃至３．のうちのいずれか1項に記載の計量スプーン。
５．前記突設部は、前記把持部の長手方向に対して略垂直な平面部を備えている１．乃至４．のうちのいずれか１項に記載の計量スプーン。
６．前記計量部の上端面と接続する前記把持部の上端面が、該計量部の上端面と面一となる平面を含む１．乃至５．のうちのいずれか１項に記載の計量スプーン。
７．前記把持部の側面後端部付近に突起が形成されている１．乃至６．のうちのいずれか１項に記載の計量スプーン。
８．合成樹脂により一体に形成されている１．乃至７．のうちのいずれか１項に記載の計量スプーン。
【発明の効果】
【０００７】
１．本発明の計量スプーンは、計量部の底部から下方に突設する突設部が形成されているため、計量部を先端から粉粒物又は粘性物に垂直方向に挿入した場合に特に突設部が押圧抵抗となり、把持部が埋没せず、起立状態を確実に保持可能となる。
２．計量部外面が底部に向かって次第に窄まるように形成されている場合は、特に、粉粒物又は粘性物に対して計量部が挿入しやすく埋没しやすいため、突設部を設けた効果が大きい。
３．計量部の内面後端部が把持部の長手方向に対して略垂直である場合には、計量部を先端から粉粒物又は粘性物に垂直方向に挿入した場合に内面後端部が押圧抵抗となり、更に把持部が埋没せず、起立状態を確実に保持可能となる。
４．計量部が、先端上部が薄肉に形成され、後端底部に向かって次第に厚肉に形成され、更に、該後端底部から上部後端方向に、前記把持部が延出形成されている場合には、計量部を先端から粉粒物又は粘性物に垂直方向に挿入した場合に
計量部先端から中央底部に亘って、計量部断面が楔形状で挿入されるため、挿入方向と直角方向の押圧抵抗を受け、更に把持部が埋没せず、起立状態を確実に保持可能となる。
５．突設部が、把持部の長手方向に対して垂直な平面部を備えている場合には、押圧抵抗となる面が大きいため特に効果的である。
６．計量部の上端面と接続する把持部の上端面が、計量部の上端面と面一となる平面を含む場合には、摺り切り計量がし易くなる。
７．把持部の側面後端付近に突起が形成されている場合には、把持部を持つ際に手指で支持しやすくなる。
８．計量スプーンが合成樹脂により一体に形成される場合には、射出成形等により、製作が容易となる。
【図面の簡単な説明】
【０００８】
【図１】本発明の実施例１に係る計量スプーンの斜視図である。
【図２】図１のＡ−Ａ断面図である。
【図３】（ａ）は、実施例１に係る計量スプーンの僅か左斜め底面方向からの斜視図、（ｂ）は、（ａ）の側面図である。
【図４】実施例１に係る計量スプーンを手指で把持した状態の一例を示す斜視図である。
【図５】実施例１に係る計量スプーンを容器体に入った粉体（砂糖）に挿入起立させた状態を示す斜視図である。
【図６】図５のＢ−Ｂ断面図である。
【図７】本発明の実施例２に係る計量スプーンの斜視図である。
【図８】図７のＣ−Ｃ断面図である。
【図９】（ａ）は実施例２に係る計量スプーンの僅か左斜め底面方向からの斜視図、（ｂ）は、（ａ）の側面図である。
【図１０】実施例２に係る計量スプーンを容器体に入った粉体（砂糖）に挿入起立させた状態を示す斜視図である。
【図１１】図１０のＤ−Ｄ断面図である。
【発明を実施するための形態】
【０００９】
以下、実施形態を示す図１〜１１を参照しながら本発明を詳しく説明する。
尚、本発明は、かかる図に記載された具体例に示すものに限られず、目的、用途に応じて種々変更したものとすることができる。
【００１０】
［実施形態１］
計量スプーン１は、本発明を具体化している。
計量スプーン１は、図１に示すように、計量部１０と計量部１０から延設された把持部２０とを備え、計量部１０の底部から下方に突設する突設部３０が形成されている。
計量スプーン1は、合成樹脂で一体に形成されている。このため、例えば射出成形により容易に製作することができる。
計量スプーンの材質は特に限定はなく、合成樹脂製の他、木製、金属製又はこれらの組み合わせであってもよい。合成樹脂としては、ポリプロピレン樹脂、ＡＢＳ樹脂などが例示される。
また、一体に形成されることに限定されず、各部位をそれぞれ別体に製作して、接合して形成してもよい。
【００１１】
［１］計量部
前記「計量部」は、被計量物である粉粒物又は粘性物を開口部に収容可能に形成されている。粉粒物としては、粉粒状の砂糖、塩、調味料など、粘性物としては、味噌などが挙げられる。
計量部は、被計量物を内部に収容可能に、上部を開口した凹状に形成されていれば特に限定はなく、有底角筒状、有底円筒状であってもよいが、計量スプーン１のように、計量部外面１０ａは底部に向かって次第に窄まるように形成されていることが好ましい。こうであれば、被計量物に対して計量部が挿入しやすい。また、後述のように、埋没しやすいため、突設部を設けた効果が大きい。
【００１２】
図２に示すように、計量部１０の内面後端部１５ａが、前記把持部２０の長手方向に対して略垂直である場合には、計量部１０を先端から粉粒物又は粘性物に略垂直方向に挿入した場合に内面後端部１５ａが押圧抵抗となり、更に把持部２０が埋没せず、起立状態を確実に保持可能となる。
ここで、本明細書において「略垂直」とは、完全に垂直であるもののみならず、本発明の効果に鑑みて実質的に垂直と同視できるものを含む。具体的には、７０°〜１１０°程度まで含む。
なお、計量部先端外面１０ｂが、尖頭形状をなしているため、粉粒物又は粘性物に対して計量部１０が挿入しやすくなる。
【００１３】
［２］把持部
前記「把持部」は、計量部から延出して形成され、使用に際して手指で支持する部位である。
把持部は、計量部から延出して形成され、使用に際して手指で保持することが出来れば特に限定はなく、棒状、板状、筒状、又はこれらの変形並びにこれらの組み合わせであってもよい。
計量スプーン１の把持部２０のように、計量部１０との接続部は大径であって次第に径がやや小さくなるように形成されていてもよい。
把持部の長手方向の長さも特に限定はなく、長短いずれでもよいが、計量スプーンの長手方向において、把持部の長さは、計量部の長さの４０〜６０％程度とすることができる。こうすることで、例えば、図５に示すように、蓋つきの容器体９１に備える場合、蓋９３を天板９３ａの妨げにならないように閉じることができる。
【００１４】
前記計量部と前記把持部との境界は明瞭でなくてもよく、例えば、図1及び図２に示すように、計量スプーン１の場合、底部外面は緩やかな曲面を描いて、計量部１０から次第に把持部２０へと移行するように形成されている。
また、計量部１０は、先端上部が薄肉に形成され、後端底部に向かって次第に厚肉に形成され、更に、後端底部から上部後端方向に、把持部２０が延出形成されている。そのため、計量部１０を先端から粉粒物又は粘性物に垂直方向に挿入した場合に計量部１０の先端から中央底部に亘って、計量部断面が楔形状で挿入される。そのため、挿入方向と直角方向の押圧抵抗を受け、更に把持部が埋没せず、起立状態を確実に保持可能となる。
【００１５】
また、計量スプーン１は、計量部の上端面１１と接続する把持部の上端面２１が、計量部の上端面１１と面一となる平面を含むため、摺り切り計量がし易くなる。
更に、計量スプーン１のように、把持部２０の側面後端付近に突起２５が形成されている場合には、図４に示すように、親指８０ａ、人差し指８０ｂ、中指８０ｃで把持部を保持する際、中指８０ｃが係止しやすくなる。
【００１６】
［３］突設部
前記「突設部」は、計量部の底部から下方に突設する部位である。突設部は、計量部の底部から下方に突設していれば、その形状は特に限定はなく、棒状、板状、その他の形状であってもよい。
突設部が押圧抵抗となり、把持部が埋没せず、起立状態を確実に保持可能となる。
計量スプーン１は、図１及び図２に示すように、略平板状の突設部３０を備えている。このように、突設部３０が、把持部２０の長手方向に対して略垂直な平面部３０ａを備えていることが好ましい。こうであれば、押圧面が大きいため特に押圧抵抗として効果的である。
【００１７】
（作用）
計量スプーン１を例に、本発明の作用を具体的に説明する。
図６は、計量スプーン１が、粉粒物７０に挿入された状態を示す。
ここで、突設部３０が、粉粒物７０からの押圧抵抗Ｐを受けることで、計量スプーン１の把持部２０が埋没することがない。
更に、計量部１０の先端から中央底部に向かって、計量部１０の断面が楔形状で挿入されている。そのため、挿入方向に対して粉粒物７０からの直角方向の押圧抵抗Ｑ１、Ｑ２を受けることになり、把持部２０が埋没せず、起立状態を更に確実に保持可能となる。
そして、計量部１０の内面後端部１０ａが把持部２０の長手方向に対して略垂直であるため、内面後端部１０ａが挿入方向に対して粉粒物７０からの直角方向の押圧抵抗Ｒを受けて、把持部２０の起立状態が、更に確実に保持可能となる。
【００１８】
（製作例）
本発明に係る製作例を、以下に具体的に説明する。
図1に示す計量スプーン１は、ポリプロピレン樹脂からなり、射出成形により一体に製作した。開口部１５は５ｃｃである。図３（ａ）、（ｂ）において、おおよそ、Ｓ＝３５ｍｍ、Ｔ＝６８ｍｍ、Ｕ＝４３ｍｍである。
全体形状は、鳥をイメージしており、図５に示すように、計量部１０は胴部を、把持部２０は首から頭部を、突起２５はくちばしを、突設部３０は尻尾を表わしている。尻尾の構造などにより、倒れにくいため、粉粒物が手指につきにくく快適に取り出すことができる。
そして、容器本体９２内の粉粒物（例えば、砂糖）の海に鳥が泳いでいるイメージを醸し出すことができる。
古くから鳥が家に遊びに来たら幸運が訪れると言われている。料理中に鳥に出会う楽しみと、快適な機能を追求できると共に、絶妙なさじ加減で素敵なライフスタイルを演出することができる。
【００１９】
［実施形態２］
計量スプーン２も、本発明を具体化している。
計量スプーン２は、図７に示すように、計量部４０と計量部４０から延設された把持部５０とを備え、計量部４０の底部から下方に突設する突設部６０が形成されている。計量スプーン２も、合成樹脂で一体に形成されている。計量スプーンの材質については、計量スプーン１と同様であり、前述の通りである。
【００２０】
計量部４０についても、被計量物、形状など、計量スプーン１の計量部２０と同様であり、計量部外面４０ａは底部に向かって次第に窄まるように形成されている。計量部４０の内面後端部４５ａが把持部５０の長手方向に対して略垂直である点、計量部先端外面１０ｂが、尖頭形状をなしている点についても、計量スプーン１と構成、効果は同様であり、前述の通りである。
【００２１】
把持部５０についても、計量スプーン１の把持部２０と略同様であるが、やや長く形成されている。その分、手指で把持しやすくなっている。
【００２２】
前記計量部と前記把持部との境界は明瞭でなくてもよい点、その他の作用効果についても計量スプーン１と同様であり、前述した通りである。
【００２３】
また、計量スプーン２も、計量部の上端面４１と接続する把持部の上端面５１が、計量部の上端面４１と面一となる平面を含むため、摺り切り計量がし易くなっている。
更に、計量スプーン２も、計量スプーン１の突起２５と同様、把持部５０の側面後端付近に突起５５が形成されているため、手指で係止しやすい。
【００２４】
計量スプーン２の突設部６０は、図９（ａ）、（ｂ）に示すように、計量部５０の底部から下方に突設しており、上部が前方に傾斜した三角柱状をなしている。
そして、把持部５０の長手方向に対して略垂直な平面部６０ａを備えている。
このため、突設部６０が押圧抵抗となり、把持部５０が埋没せず、起立状態を確実に保持可能となる。更に、突設部６０が、平面部６０ａを備えているため、押圧抵抗となる面が大きく、特に効果的である。
【００２５】
（作用）
図１１は、計量スプーン２が、粉粒物７０に挿入された状態を示す。
ここで、突設部６０の平板部６０ａが、粉粒物７０からの押圧抵抗Ｐを受けることで、計量スプーン２の把持部５０が埋没することはない。
更に、計量部６０の先端から中央底部に向かって、計量部１０の断面が楔形状で挿入されている。そのため、挿入方向に対して粉粒物７０からの直角方向の押圧抵抗Ｑ１、Ｑ２を受けることになり、把持部２０が埋没せず、起立状態を更に確実に保持可能となる。
なお、図１１においては、計量部４０の内面後端部４５ａが粉粒物７０から離れているが、内面後端部４５ａが粉粒物７０の上面から押圧される場合には、更に把持部２０が、起立状態を確実に保持可能となる。
【００２６】
（製作例）
図に示す計量スプーン２は、ポリプロピレン樹脂からなり、射出成形により一体に製作した。開口部４５は１５ｃｃである。図９（ａ）、（ｂ）において、おおよそ、Ｖ＝４３ｍｍ、Ｗ＝７９ｍｍ、Ｘ＝４２ｍｍである。
全体形状は、鳥をイメージしており、図１０に示すように、計量部４０は胴部を、把持部５０は首から頭部を、突起５５はくちばしを、突設部６０は尻尾を表わしている。尻尾の構造などによって、倒れにくいため、粉粒物が手指につきにくく快適に取り出せる。
また、図１０に示すように、粉粒物（例えば、砂糖）の海に鳥が泳いでいるイメージを醸し出すことができる。その他の効果については、計量スプーン１と同様であり、前述の通りである。
【符号の説明】
【００２７】
１、２；計量スプーン、７０；粉粒物、１０、４０；計量部、２０、５０；把持部、３０、６０；突設部、２５ａ、４５ａ；内面後端部、１１、４１；計量部の上端面、３０ａ、６０ａ；平面部、２１、５１；把持部の上端面、２５、５５；突起
【図１】
2016099215.tif 000003
【図２】
2016099215.tif 000004
【図３】
2016099215.tif 000005
【図４】
2016099215.tif 000006
【図５】
2016099215.tif 000007
【図６】
2016099215.tif 000008
【図７】
2016099215.tif 000009
【図８】
2016099215.tif 000010
【図９】
2016099215.tif 000011
【図１０】
2016099215.tif 000012
【図１１】
2016099215.tif 000013